(57)【要約】【課題】設計の自由度を低下させることなく、簡単な構成で、誤接続を防止できる電気配線構造及び画像形成装置を提供する。【解決手段】並列に配置された複数の機能ユニット２２７ａ〜２２７ｄと電気回路基板２３２とを電気的に接続する電気配線部材３００ａ〜３００ｄの位置を、位置規制手段２４０ａ〜２４０ｄによって規制することにより、電気配線部材３００ａ〜３００ｄの誤接続を防止するようにした電気配線構造であって、電気回路基板２３２上に設けられた受側コネクタ３１１ａ〜３１１ｄの配置位置を、位置規制手段２４０ａ〜２４０ｄの配置位置から、受側コネクタ３１１ａ〜３１１ｄに対する電気配線部材３００ａ〜３００ｄの接続方向に直交する方向にシフトさせる。【選択図】  図２
2004236412.tif 000002
【特許請求の範囲】
【請求項１】
並列に配置された複数の機能ユニットと電気回路基板上に設けられた複数の受側コネクタとをそれぞれ電気的に接続する電気配線部材の位置を、位置規制手段によって規制することにより、前記電気配線部材の誤接続を防止するようにした電気配線構造であって、
前記受側コネクタの配置位置を、前記位置規制手段の配置位置から、前記受側コネクタに対する前記電気配線部材の接続方向に直交する同一方向にシフトさせたことを特徴とする電気配線構造。
【請求項２】
隣接する前記機能ユニットにおける前記電気配線部材との接続部間の距離と、前記電気回路基板上の隣接する前記受側コネクタ間の距離と、がそれぞれ略等しいことを特徴とする請求項１に記載の電気配線構造。
【請求項３】
請求項１または２に記載の電気配線構造を具備したことを特徴とする画像形成装置。
【発明の詳細な説明】
【０００１】
【発明の属する技術分野】
本発明は、複写機、プリンタ、ファクシミリ等の画像形成装置における電気配線構造及び画像形成装置に係り、詳しくは、各機能ユニットと回路基板とを電気的に接続するためのハーネスにおける誤接続防止の技術に関する。
【０００２】
【従来の技術】
各種画像形成装置では、従来、記録ヘッド等の機能ユニットを備え、記録したい画像データに応じて記録ヘッドを制御するようにしている。例えば、記録ヘッドにＬＥＤ書き込みヘッドを用い、ＬＥＤからの照射光強度の相違により、帯電させてある感光体ドラム上の電荷量を変化させることで形成した静電潜像をトナーなどの現像剤を用いて顕像化させて、これを記録紙に転写することで、電子写真装置という画像等形成装置を実現している。
【０００３】
このような画像形成装置においては、記録ヘッドそれ自体が単独で記録動作を行うことは少なく、照射光強度の違いとなって記録すべき画像等の濃淡データを表す画像データ信号や、照射のタイミング等を制御するための記録ヘッドの動作を制御する信号といった各種電気的な信号や、照射光源手段に外部から供給される電力などを受け取り動作している。
【０００４】
これら電気的信号や電力を受け取るために、記録ヘッドは制御装置と電気的に接続される必要がある。さらには、記録ヘッドが正しく動作していることを逆に制御装置に伝達するために記録ヘッドと制御装置とが電気的に接続される場合もある。このように、画像形成装置の機能ユニットである記録ヘッドは、同じ画像形成装置に含まれる外部装置と電気的に接続されている。
【０００５】
外部装置には制御装置などが用いられるが、それらは記録ヘッド制御基板のような電気回路基板として構成されている。そして、この記録ヘッドと記録ヘッド制御基板の電気的接続には、一本もしくは複数本の導線が束としてまとめられた電気配線部材（ハーネス）により接続される。
【０００６】
そして、画像等形成装置の組み立てやメンテナンスを行いやすくするために、記録ヘッド・電気配線部材・記録ヘッド制御基板が一体構成となることは少なく、電気配線部材の一端もしくは両端がコネクタとなっており、必要に応じて、組み立て・取り外しを容易に行えるようにしている。
【０００７】
近年、電子写真方式の画像形成装置もモノクロ（単色）ではなくフルカラー画像を形成できるものが増え、また、高画質と画像形成速度の速さが要望されるようになってきている。画質に関してはシアン・マゼンタ・イエローの３色を用いてフルカラー画像を形成する方法に代わり、最近はシアン・マゼンタ・イエローに黒の４色を用いてフルカラー画像を形成する方法が一般的になってきている。
一方、画像形成速度に関しては、１つの像担持体に対して４色の現像剤を切換えながらフルカラー画像を形成する４回転プロセス方式から、４色それぞれの画像形成ステーションを転写担持体に対して並べて配置し、ほぼ同時に４色の画像を形成するタンデム方式の画像形成装置により画像形成速度の高速化に対応している。
【０００８】
このタンデム方式の画像形成装置では、シアン・マゼンタ・イエロー・黒それぞれの画像を形成するための画像ステーションは、全て同一のユニットで構成されることが多く、同一のユニット構造とすることにより装置の製造コストの低減化を図っている。また、画像形成ステーションには記録ヘッドも含まれ、記録ヘッド制御基板といった外部装置との電気的な接続が電気配線部材によって行われ、従って、４つの記録ヘッドと電気配線部材が構成に含まれる。
【０００９】
ところが、同一の機能ユニットが複数存在するため、接続すべきコネクタと電気配線部材も複数存在し、本来、電気的に接続すべきものとは異なり誤って接続してしまう可能性が生ずる。例えば、黒の画像形成を担う記録ヘッドが電気配線部材を通じて、黒の記録ヘッド制御回路と電気的に接続されるべきところを、シアンの記録ヘッド制御回路に接続してしまったり、あるいはその逆に、シアンの画像形成を担う記録ヘッドが電気配線部材を通じて、黒の記録ヘッド制御回路と接続するような可能性がある。これらの誤接続は、装置の誤動作や画像ステーションの中の記録ヘッドや記録ヘッド制御基板等、ひいては装置全体の破壊の原因となるのは言うまでもない。
【００１０】
そこで、このような誤接続の防止を図るために、従来より、様々な対策が採られてきた。例えば、電気配線部材ごとあるいは対応するコネクタごとに構成を変える方法がある。各電気配線部材あるいは対応するコネクタごとに色を変えれば、対応する接続対象がよく判るし、あるいはコネクタ形状を異なるものにすれば、接続対象以外の接続が物理的にできなくなる。
【００１１】
その他、電気配線部材の長さを接続対象にのみ接続できるように規制する方法もある。タンデム式の画像形成装置の場合、例えば、図３に示すように、互いに並列に配置された複数の機能ユニットとしてのＬＥＤ書込みヘッド２２７ａ〜２２７ｄと、制御基板２４２と、を電気配線部材としてのハーネス４００ａ〜４００ｄで接続する場合、制御基板２４２を支持している基板支持部材２３１に、各ハーネス４００の位置を規制するための規制孔２４０ａ〜２４０ｄを設けた構成がある。
【００１２】
図示の例では、各ハーネス４００ａ〜４００ｄの一端には、ＬＥＤ書込みヘッド２２７ａ〜２２７ｄに設けた受側コネクタ３１２ａ〜３１２ｄに接続されるコネクタ４０２ａ〜４０２ｄが取り付けられる一方、他端には、制御基板２４２上の受側コネクタ４１１ａ〜４１１ｄに接続されるコネクタ４０１ａ〜４０１ｄが取り付けられており、かつ、ハーネス４００ａ〜４００ｄの規制孔２４０ａ〜２４０ｄを貫通する部分が、結束部材４２１ａ〜４２１ｄによって結束されている。この場合、ＬＥＤ書込みヘッド２２７ａ〜２２７ｄの受側コネクタ３１２ａ〜３１２ｄと、規制孔２４０ａ〜２４０ｄと、制御基板２４２上の受側コネクタ４１１ａ〜４１１ｄは、一点鎖線で示す同一直線上の位置に配列されている。
【００１３】
このような構成にあって、誤接続を防止するためには、図示のように、隣接する受側コネクタ４１１間の距離Ｄ１  と、規制孔２４０と受側コネクタ４１１の間の距離Ｄ３′、規制孔２４０からコネクタ４０１までの距離Ｄ４  、規制孔２４０から隣接する受側コネクタ４１１までの距離Ｌｃｄ，Ｌｄｃ、が、少なくとも、下記（１）式を満たしていなければならない。
【００１４】
Ｌｃｄ（ｏｒＬｄｃ）＞Ｄ４＞Ｄ３′・・・・・・・・・（１）
【００１５】
また、画像形成装置とは異なるが、例えば、遊技機の分野では、複数の電気配線群を収束し、かつ、その方向を規制するための集束兼方向規制板を、接続対象となる払出し制御基板の取り付けベースと一体に形成して、誤接続を防止しようとした例がある（例えば、特許文献１参照）。
【００１６】
【特許文献１】
特開２００２−１４３４９７号公報（段落「００２７」〜「００３３」、図４〜図７）
【００１７】
【発明が解決しようとする課題】
しかしながら、電気配線部材ごとあるいはコネクタごとに構成を変える方法では、同様の機能を持つにも関わらず異なる品を用意しなければならず、共通部品をそろえる場合に比べ、量産性が低下してコストアップを招いてしまうだけでなく、修理・改修時に必要となるサービスパーツの取り置きに関しては、その種類が増えることで、在庫時のスペースの増加、管理の手間、等々メンテナンスコストを考慮すると好ましくない。
【００１８】
一方、図３に示すような構成では、受側コネクタ４１１ａ〜４１１ｄに対するコネクタ４０１ａ〜４０１ｄの挿脱作業を容易とするために、Ｄ４＞Ｄ３′に設定されるのが普通であるが、部品の共通化を考慮した場合には、Ｄ４≧Ｌｃｄ＝Ｌｄｃとなってしまうことが多い。従って、前記（１）式が満足されなくなり、誤接続が発生しやすくなる。
【００１９】
すなわち、ハーネス４００ｃは、受側コネクタ４１１ｄに誤接続されうるし、ハーネス４００ｄは、受側コネクタ４１１ｃに誤接続されうる（相互に誤接続可能性となる）。この時、仮に、残りのハーネス４００ａ，４００ｂが正しく受側コネクタ４１１ａ，４１１ｂにそれぞれ接続されても、外見上は、全てＬＥＤ書込みヘッド制御基板２４２上の受側コネクタ４１１ａ〜４１１ｄに全てのハーネス４００ａ〜４００ｄが接続されているため、誤接続に気がつかないことが懸念される。
【００２０】
特に、規制孔２４０の周辺が他の部材によって覆われ、一目で判別しづらい場合には、なおさらである。従って、図３のような構成で、誤接続を防止しようとする場合、前記（１）式を満たすために、設計の自由度が著しく低下することがあり、電気配線構造のコンパクト化が損なわれたり、また、組み立て・取り外し時等における作業性が低下することも懸念される。
【００２１】
また、特許文献１に記載のように、複数の電気配線群を収束し、かつ、その方向を規制するための集束兼方向規制板を払出し制御基板の取り付けベースと一体に形成する場合、全ての電気配線群を、集束兼方向規制板を経由させなければならないため、電気配線が長くなってコスト高となり、かつ、電気配線群の組み付け作業性も低下する。さらには、取り付けベースから側方に突出して形成される集束兼方向規制板のために、装置のコンパクト化が損なわれる難点もある。
【００２２】
本発明は、このような実情に鑑みてなされ、設計の自由度を低下させることなく、簡単な構成で、誤接続を防止できる電気配線構造及び画像形成装置を提供することを目的とする。
【００２３】
【課題を解決するため手段】
本発明は、上述の課題を解決するための手段を以下のように構成している。
【００２４】
（１）並列に配置された複数の機能ユニットと電気回路基板上に設けられた複数の受側コネクタとをそれぞれ電気的に接続する電気配線部材の位置を、位置規制手段によって規制することにより、前記電気配線部材の誤接続を防止するようにした電気配線構造であって、
前記受側コネクタの配置位置を、前記位置規制手段の配置位置から、前記受側コネクタに対する前記電気配線部材の接続方向に直交する同一方向にシフトさせたことを特徴とする。
【００２５】
この構成においては、電気配線部材の接続を規制する位置規制手段の配列と電気回路基板上の受側コネクタの配列と、を電気配線部材の接続方向に直交する同一方向にシフトさせて配置することで、電気配線部材は、その移動方向と反対方向に隣接する受側コネクタには遠くなり接続できなくなるような配置設計が容易となる。
【００２６】
一方、シフトさせた方向と同方向の受側コネクタへは誤接続しやすくなるが、同じ方向（シフトさせた方向）でのみしか誤接続できないので（つまり、隣りあう電気配線部材を相互に誤接続することができないので）、誤接続をすると必ず接続されない電気配線部材と受側コネクタが後に残る。そのため、誤接続をしたことに容易に気づくので、誤接続を防止することができる。
【００２７】
（２）隣接する前記機能ユニットにおける前記電気配線部材との接続部間の距離と、前記電気回路基板上の隣接する前記受側コネクタ間の距離と、がそれぞれ略等しいことを特徴とする。
【００２８】
この構成においては、機能ユニットの配列ピッチと電気回路基板の受側コネクタの配列ピッチとをほぼ同一とすることにより、すべて同一の電気配線部材を共用することができるため、量産効果を損なうことなく、かつ、誤接続を容易に認識することができる。
【００２９】
また、機能ユニットが電気配線部材と接続される位置は機能ユニットの配列と一致するから、それと対応するように前記電気回路基板の受側コネクタが配置されることになるので、一見して、どの受側コネクタがどの機能ユニットに接続されるかを判別しやすくなる。
【００３０】
（３）画像形成装置において、請求項１または２に記載の電気配線構造を具備したことを特徴とする。
【００３１】
この構成においては、画像形成装置に設けられている電気配線構造が、（１）または（２）に記載の作用効果を奏するので、電気配線部材を作業性よく接続することができ、かつ、電気配線部材の誤接続に起因するトラブルの発生を防ぐことができる。
【００３２】
【発明の実施の形態】
本発明の実施の一形態に係る電気配線構造及び画像形成装置について図面を参照しつつ詳細に説明する。
【００３３】
《画像形成装置》
図１は、画像形成装置としてのデジタルカラー複写機１の構成を示し、この複写機１の本体上面には、原稿台１１１及び操作パネルが設けられ、複写機本体１の内部に画像読み取り部１１０および画像形成部２１０が設けられている。原稿台１１１の上面には該原稿台１１１に対して開閉可能な状態で支持され、原稿台１１１面に対して所定の位置関係をもって両面自動原稿送り装置（ＲＡＤＦ；Ｒｅｖｅｒｓｉｎｇ  Ａｕｔｏｍａｔｉｃ  Ｄｏｃｕｍｅｎｔ  Ｆｅｅｄｅｒ）１１２が装着されている。
【００３４】
この両面自動原稿送り装置１１２は、まず、原稿の一方の面が原稿台１１１の所定位置において画像読み取り部１１０に対向するように原稿を搬送し、この一方の面についての画像読み取りが終了した後に、他方の面が原稿台１１１の所定位置において画像読み取り部１１０に対向するよう原稿を反転して原稿台１１１に向かって搬送するように構成され、１枚の原稿について両面の画像読み取りが終了した後にこの原稿を排出し、次の原稿についての両面搬送動作を実行する。このような原稿の搬送および表裏反転の動作は、複写機全体の動作に関連して制御される。
【００３５】
画像読み取り部１１０は、両面自動原稿送り装置１１２により原稿台１１１上に搬送されてきた原稿の画像を読み取るために、原稿台１１１の下方に配置されている。画像読み取り部１１０は該原稿台１１１の下面に沿って平行に往復移動する原稿走査体１１３，１１４と、光学レンズ１１５と、光電変換素子であるＣＣＤラインセンサ１１６とを有しており、原稿走査体１１３，１１４は、第１の走査ユニット１１３と第２の走査ユニット１１４とから構成されている。
【００３６】
第１の走査ユニット１１３は原稿画像表面を露光する露光ランプと、原稿からの反射光像を所定の方向に向かって偏向する第１ミラーとを有し、原稿台１１１の下面に対して一定の距離を保ちながら所定の走査速度で平行に往復移動する。また、第２の走査ユニット１１４は、第１の走査ユニット１１３の第１ミラーにより偏向された原稿からの反射光像をさらに所定の方向に向かって偏向する第２および第３ミラーとを有し、第１の走査ユニット１１３と一定の速度関係を保って平行に往復移動する。
【００３７】
光学レンズ１１５は、第２の走査ユニットの第３ミラーにより偏向された原稿からの反射光を集光し、縮小された光像をＣＣＤラインセンサ１１６上の所定位置に結像させ、ＣＣＤラインセンサ１１６は、結像された光像を順次光電変換して電気信号として出力する。このＣＣＤラインセンサ１１６は、白黒画像あるいはカラー画像を読み取り、Ｒ（赤）、Ｇ（緑）、Ｂ（青）の各色成分に色分解したラインデータを出力することのできる３ラインのカラーＣＣＤであり、このＣＣＤラインセンサ１１６により電気信号に変換された原稿画像情報は、さらに、図示しない画像処理部に転送されて所定の画像データ処理が施される。
【００３８】
次いで、画像形成部２１０の構成、および画像形成部２１０に係わる各部の構成について説明する。
画像形成部２１０の下方には、用紙トレイ内に積載収容されている用紙（記録媒体）Ｐを１枚ずつ分離して画像形成部２１０に向かって供給する給紙機構２１１が設けられている。そして１枚ずつ分離供給された用紙Ｐは、画像形成部２１０の手前に配置された一対のレジストローラ２１２によりタイミングが制御されて画像形成部２１０に搬送される。さらに、片面に画像が形成された用紙Ｐは、画像形成部２１０の画像形成にタイミングを合わせて画像形成部２１０に再供給搬送される。
【００３９】
給紙機構２１１と画像形成部２１０との間には、転写搬送ベルト機構２１３が配置されている。転写搬送ベルト機構２１３は、駆動ローラ２１４と従動ローラ２１５との間に略平行に伸びるように張架された転写搬送ベルト２１６に用紙Ｐを静電吸着させて搬送するように構成されている。さらに、用紙搬送路における転写搬送ベルト機構２１３の下流側には、用紙Ｐ上に転写形成されたトナー像を用紙Ｐ上に定着させるための定着装置２１７が配設されている。この定着装置２１７の一対の定着ローラ間におけるニップ部を通過した用紙Ｐは、搬送方向切り換えゲート２１８を経て、排出ローラ２１９により複写機本体１の外壁に取り付けられている排紙トレイ２２０上に排出される。
【００４０】
切り換えゲート２１８は、定着後の用紙Ｐの搬送経路を、複写機本体１へ用紙Ｐを排出する経路と、画像形成部２１０に向かって用紙Ｐを再供給する経路との間で選択的に切り換え、切り換えゲート２１８により再び画像形成部２１０に向かって搬送方向が切り換えられた用紙Ｐは、スイッチバック搬送経路２２１を介して表裏反転された後、画像形成部２１０へと再度供給される。
【００４１】
また、画像形成部２１０における転写搬送ベルト２１６の上方には、その転写搬送ベルト２１６に近接して、第１の画像形成ステーションＰａ、第２の画像形成ステーションＰｂ、第３の画像形成ステーションＰｃ、および第４の画像形成ステーションＰｄが、用紙搬送経路上流側から順に並設されている。転写搬送ベルト２１６は駆動ローラ２１４によって、図１において矢印Ｚで示す方向に摩擦駆動され、前述したように給紙機構２１１を通じて給送される用紙Ｐを担持し、用紙Ｐを画像形成ステーションＰａ〜Ｐｄへと順次搬送する。
【００４２】
各画像ステーションＰａ〜Ｐｄは、実質的に同一に構成され、図１に示す矢印Ｆ方向に回転駆動される感光体ドラム２２２ａ〜２２２ｄをそれぞれ備えている。各感光体ドラム２２２ａ〜２２２ｄの周辺には、感光体ドラム２２２ａ〜２２２ｄをそれぞれ一様に帯電させる帯電器２２３ａ〜２２３ｄと、感光体ドラム２２２ａ〜２２２ｄ上に形成された静電潜像をそれぞれ現像する現像装置２２４ａ〜２２４ｄと、現像された感光体ドラム２２２ａ〜２２２ｄ上のトナー像を用紙Ｐへ転写する転写用放電器２２５ａ〜２２５ｄと、感光体ドラム２２２ａ〜２２２ｄ上に残留するトナーを除去するクリーニング装置２２６ａ〜２２６ｄとが感光体ドラム２２２ａ〜２２２ｄの回転方向に沿って順次配置されている。
【００４３】
また、各感光体ドラム２２２ａ〜２２２ｄの上方には、記録装置であるＬＥＤ書き込みヘッド（本発明でいう機能ユニット）２２７ａ〜２２７ｄがそれぞれ設けられている。ＬＥＤ書き込みヘッド２２７ａ〜２２７ｄは、画像データに応じて変調されたドット光を発する発光ダイオード（図示せず）をライン状に基板上に形成したＬＥＤ基板ユニット、発光ダイオードからの光を感光体ドラム上に結像させるレンズアレイ（図示せず）などから構成されている。
【００４４】
ＬＥＤ書き込みヘッド２２７ａにはカラー原稿画像の黒色成分像に対応する画素信号が、ＬＥＤ書き込みヘッド２２７ｂにはカラー原稿画像のシアン色成分像に対応する画素信号が、ＬＥＤ書き込みヘッド２２７ｃにはカラー原稿画像のマゼンタ色成分像に対応する画素信号が、そして、ＬＥＤ書き込みヘッド２２７ｄにはカラー原稿画像のイエロー色成分像に対応する画素信号がそれぞれ入力される。
【００４５】
これにより色変換された原稿画像情報に対応する静電潜像が各感光体ドラム２２２ａ〜２２２ｄ上に形成される。そして、現像装置２２４ａには黒色のトナーが、現像装置２２４ｂにはシアン色のトナーが、現像装置２２４ｃにはマゼンタ色のトナーが、現像装置２２４ｄにはイエロー色のトナーがそれぞれ収容されており、感光体ドラム２２２ａ〜２２２ｄ上の静電潜像は、これら各色のトナーにより現像され、これにより、画像形成部２１０にて色変換された原稿画像情報が各色のトナー像として再現される。
【００４６】
転写搬送ベルト２１６に担持され各画像ステーションＰａ〜Ｐｄにて形成された画像が重ね転写された用紙は、第４の画像ステーションＰｄと定着装置２１７との間で駆動ローラ２１４のほぼ真上部に設けられた除電器２２９によって除電される。この除電器２１９には交流電流が印加されており、転写搬送ベルト２１６に静電吸着されている用紙Ｐを転写搬送ベルト２１６から分離しやすいようにしている。
【００４７】
以上のように構成されるデジタルカラー複写機１においては、用紙Ｐとしてカット用紙状の紙が使用される。この用紙Ｐは、給紙カセットから送り出されて給紙機構２１１の給紙搬送経路のガイド内に供給されると、その用紙Ｐの先端部分がセンサ（図示せず）にて検知され、このセンサから出力される検知信号に基づいて一対のレジストローラ２１２により一旦停止される。
【００４８】
そして、用紙Ｐは各画像ステーションＰａ〜Ｐｄとタイミングをとって図１の矢印Ｚ方向に回転している転写搬送ベルト２１６上に送られる。用紙Ｐは、各画像ステーションＰａ〜Ｐｄを通過する間、転写搬送ベルト２１６に吸着し安定して搬送供給される。各画像ステーションＰａ〜Ｐｄにおいては、各色のトナー像が、それぞれ形成され、転写搬送ベルト２１６により静電吸着されて搬送される用紙Ｐの支持面上で重ね合わされる。第４の画像ステーションＰｄによる画像の転写が完了すると、用紙Ｐは、その先端部分から順次、転写搬送ベルト２１６上から剥離され、定着装置２１７へと導かれる。最後に、トナー画像が定着された用紙Ｐは、用紙排出口（図示せず）から排紙トレイ２２０上へと排出される。
【００４９】
また、画像形成部２１０の上部には、ＬＥＤ書込みヘッド２２７ａ〜２２７ｄに対して画素信号を供給するＬＥＤ書込みヘッド制御基板（本発明でいう回路基板）２３２が配設されている。これにより、図１に示すようなデジタルカラー複写機１のような形態の場合には、回路系のメンテナンス時に、画像読み取り部１１０を画像形成部２１０に対して後側を回動支点にして開放させることで容易にメンテナンス（ＬＥＤ書込みヘッド制御基板２３２の交換等）を行うことができる。
【００５０】
《電気配線構造》
ＬＥＤ書込みヘッド２２７ａ〜２２７ｄは、それぞれ図１では、図示しないハーネス（電気配線部材）により、ＬＥＤ書込みヘッド制御基板２３２と電気的に接続されている。この電気配線構造は、図２に、より詳細に図示している。
【００５１】
同図に示すように、４つ並べて配置されているＬＥＤ書込みヘッド２２７ａ〜２２７ｄと、ＬＥＤ書込みヘッド制御基板２３２とが、それぞれ複数本の導線により構成されるハーネス３００ａ〜３００ｄにより電気的に接続されている。このハーネス３００ａ〜３００ｄは、結束部材３２１ａ〜３２１ｄにより複数本の導線を一束にまとめている。
【００５２】
ＬＥＤ書込みヘッド制御基板２３２は、基板支持部材２３１の上に保持具２３３により保持・固定されており、その基板支持部材２３１は薄板鋼板を用いたプレス品で形成されている。この基板支持部材２３１には、ハーネス３００ａ〜３００ｄの位置を規制するための規制手段としての規制孔（本発明の位置規制手段）２４０ａ〜２４０ｄが設けられている。
【００５３】
本実施の形態では、前述したように、機能ユニットであるＬＥＤ書込みヘッド２２７ａ〜２２７ｄと、電気回路基板であるＬＥＤ書込みヘッド制御基板２３２とが、それぞれハーネス３００ａ〜３００ｄを通じて電気的に接続されている。そのハーネス３００ａ〜３００ｄの接続順序は、ＬＥＤ書込みヘッド２２７ａ〜２２７ｄに先に接続した後、ＬＥＤ書込みヘッド制御基板２３２に接続する。
【００５４】
ＬＥＤ書込みヘッド２２７ａ〜２２７ｄとハーネス３００ａ〜３００ｄとの接続は、ＬＥＤ書込みヘッド２２７ａ〜２２７ｄ内のそれぞれのＬＥＤ駆動基板と電気的にもそれぞれ接続されている受側コネクタ３１２ａ〜３１２ｄに対して、ハーネス３００ａ〜３００ｄの一端側に取り付けられたコネクタ３０２ａ〜３０２ｄを接続する。
【００５５】
また、ハーネス３００ａ〜３００ｄとＬＥＤ書込みヘッド制御基板２３２との接続では、ハーネス３００ａ〜３００ｄの他端側に取り付けられたコネクタ３０１ａ〜３０１ｄを、ＬＥＤ書込みヘッド制御基板２３２上に設けられた受側コネクタ３１１ａ〜３１１ｄにそれぞれ接続する。
【００５６】
ＬＥＤ書込みヘッド制御基板２３２上の受側コネクタ３１１ａ〜３１１ｄには、同基板の図示しない回路により、黒色、シアン色、マゼンタ色、イエロー色の中から形成したい色に応じた、ＬＥＤ書込みヘッドの動作制御信号や形成画像データ信号などがそれぞれ出力されている。また、受側コネクタ３１１ａ〜３１１ｄはそれら同士を結ぶ直線（二点鎖線の補助線）上に略一直線上の位置に配設されている。
【００５７】
ハーネス３００ａ〜３００ｄは全て共通としている。これは、量産性を高めコストを低減できるように、あるいはメンテナンスパーツの種類を減らしメンテナンスコストを低減するためである。同様に、ＬＥＤ書込みヘッド２２７ａ〜２２７ｄも全て共通としており、またハーネス３００ａ〜３００ｄが共通であるから、それと接続されるＬＥＤ書込みヘッド制御基板２３２が有する受側コネクタ３１１ａ〜３１１ｄも共通である。
【００５８】
なお、ＬＥＤ書込みヘッド制御基板２３２は、本実施の形態では、１枚構成であるが、これに限らず、図示を省略するが、例えば、ハーネスと接続される受側コネクタとそれにつながる電気回路とが載った電気回路基板の共通品を４枚並べて、これら各電気回路基板と、各ＬＥＤ書込みヘッドとをハーネスで電気的に接続してもよい。
【００５９】
各ハーネス３００ａ〜３００ｄは、それぞれ規制孔２４０ａ〜２４０ｄにより、各コネクタ３０１ａ〜３０１ｄが届く位置が規制されている。つまり、規制孔２４０ａ〜２４０ｄは、ＬＥＤ書込みヘッド制御基板２３２上の受側コネクタ３１１ａ〜３１１ｄとの接続に関して、ハーネス３００ａ〜３００ｄの位置をそれぞれ規制している。
【００６０】
なお、本実施の形態では、切り欠きのない孔になっているが、受側コネクタ３１１ａ〜３１１ｄ、３１２ａ〜３１２ｄから遠い部分に切り欠き等を設け、ハーネス３００ａ〜３００ｄの基板支持板２３１への組付けを容易に行えるようにしてもよい。
【００６１】
また、基板支持板２３１がＬＥＤ書込みヘッド制御基板２３２と同程度の大きさしかなく、規制孔が全く存在しない場合でも、ハーネス３００ａ〜３００ｄの接続にあたって、ＬＥＤ書込みヘッド２２７ａ〜２２７ｄと接続される部分、つまり、受側コネクタ３１２ａ〜３１２ｄが、ハーネス３００ａ〜３００ｄのそれぞれのコネクタ３０１ａ〜３０１ｄが届きうる位置を規制しているので、この場合は、受側コネクタ３１２ａ〜３１２ｄが規制手段となる。
【００６２】
ところで、規制孔２４０ａ〜２４０ｄと、それにより位置規制されるハーネス３００ａ〜３００ｄの接続対象となる受側コネクタ３１１ａ〜３１１ｄとの位置関係については、まず、規制孔２４０ａ〜２４０ｄは、それぞれ、基板支持部材２３１におけるＬＥＤ書込みヘッド２２７ａ〜２２７ｄの直上位置に開設されており、その規制孔２４０ａ〜２４０ｄの中央位置から基板支持部材２３１の後方に向けて引いた一点鎖Ｃ１に対して、それと直交する方向に距離Ｄ０だけ図示右側にシフトした位置に受側コネクタ３１１ａ〜３１１ｄが配置されている。
【００６３】
その受側コネクタ３１１ａ〜３１１ｄは、一点鎖線Ｃ１と直交する方向に引いた二点鎖線Ｃ３上に所定間隔Ｄ１をおいて配列されている。なお、受側コネクタ３１１ａ〜３１１ｄの中央位置を通る一点鎖線Ｃ２を一点鎖線Ｃ１と平行に引いている。また、逆に、受側コネクタ３１１ａ〜３１１ｄから規制孔２４０ａ〜２４０ｄを見た場合のシフト状態は、破線矢印で示している。
【００６４】
換言すれば、機能ユニットであるＬＥＤ書込みヘッド２２７ａ〜２２７ｄのそれぞれの受側コネクタ３１２ａ〜３１２ｄは、規制孔２４０ａ〜２４０ｄのそれぞれ略直下にある。これは規制孔２４０ａ〜２４０ｄから下方に平行移動した位置にあることを意味しており、本実施の形態では、電気回路基板であるＬＥＤ書込みヘッド制御基板２３２上のそれぞれの受側コネクタ３１１ａ〜３１１ｄの位置から平行移動を繰り返した位置にあることになる。
【００６５】
従って、ＬＥＤ書込みヘッド制御基板２３２上の隣接し合う受側コネクタ３１１ａ〜３１１ｄ同士間の距離Ｄ１は、ＬＥＤ書込みヘッド２２７ａ〜２２７ｄ上の隣接し合う受側コネクタ３１２ａ〜３１２ｄ間の距離に等しくなる。このように、本実施の形態では、ＬＥＤ書込みヘッド制御基板２３２上の隣接し合う受側コネクタ３１１ａ〜３１１ｄ間の距離はすべて等しくＤ１となるよう配置してあるが、このときＬＥＤ書込みヘッド２２７ａ〜２２７ｄ上の隣接し合う受側コネクタ３１２ａ〜３１２ｄ間の距離もＤ１とほぼ等しいＤ１′に設定している。
【００６６】
ここで、ＬＥＤ書込みヘッド２２７ａ〜２２７ｄ上のそれぞれの受側コネクタ３１２ａ〜３１２ｄには、ハーネス３００ａ〜３００ｄのコネクタ３０２ａ〜３０２ｄがそれぞれ接続される。その受側コネクタ３１２ａ〜３１２ｄの配列は、ＬＥＤ書込みヘッド２２７ａ〜２２７ｄ自体の配列に大きく依存するもので、逆にいえば、受側コネクタ３１２ａ〜３１２ｄの配列がＬＥＤ書込みヘッド２２７ａ〜２２７ｄの配置状態を示していると言える。
【００６７】
隣接し合う受側コネクタ３１２ａ〜３１２ｄ同士間の距離とＬＥＤ書込みヘッド制御基板２３２上の隣接し合う受側コネクタ３１１ａ〜３１１ｄ同士間の距離がほぼ等しいということは、ＬＥＤ書込みヘッド制御基板２３２上の受側コネクタ３１１ａ〜３１１ｄの配置が、ＬＥＤ書込みヘッド２２７ａ〜２２７ｄの配置に対応していることを意味し、受側コネクタ３１１ａ〜３１１ｄの配置を見ることでＬＥＤ書込みヘッド２２７ａ〜２２７ｄの配置を直感的に知ることができる。これにより機能ユニットと電気回路基板上のコネクタの関連が直ちに認識することができる。従って、電気的に接続すべきハーネスと対応するコネクタの接続法もよくわかり、組立てに要する時間や誤接続などを減らすことができる。
【００６８】
かかる構成において、ハーネス３００ａ〜３００ｄと、ＬＥＤ書込みヘッド制御基板２３２上の対応するそれぞれの受側コネクタ３１１ａ〜３１１ｄとの接続についてみると、規制孔２４０ａ〜２４０ｄにより、それぞれのハーネス３００ａ〜３００ｄの接続は規制される。例えば、ハーネス３００ｃの場合、規制孔２４０ｃからコネクタ３０１ｃまでが接続作業時に自由になる部分であり、その部分の長さをＤ２とすると、規制孔２４０ｃから距離Ｄ２までの範囲にある受側コネクタ３１１ｃが接続可能である（通常コネクタの脱着を容易にするため距離Ｄ３よりも長さＤ２の方を長く設定している）。
【００６９】
ハーネス３００ａ〜３００ｄは共通のものを使用しているために、他のハーネス３００ａ、３００ｂ、３００ｄについても同様であり、規制孔２４０ａ〜２４０ｄからそれぞれＤ２までの範囲にあるＬＥＤ書込みヘッド制御基板２３２の受側コネクタ３１１ａ〜３１１ｄに、それぞれ対応するコネクタ３０１ａ〜３０１ｄが接続可能である。
【００７０】
規制孔２４０ａ〜２４０ｄは、前述したように、対応するそれぞれの受側コネクタ３１１ａ〜３１１ｄに対してそれぞれ距離Ｄ０だけ規制孔２４０ｃから見て規制孔２４０ｄの方向にシフトしている。逆に、受側コネクタ３１１ａ〜３１１ｄは、受側コネクタ３１１ｂから見て受側コネクタ３１１ａの方向に距離Ｄ０だけシフトしていることとなる。
【００７１】
このため、規制孔２４０ｄから受側コネクタ３１１ｃまでの距離Ｌｄｃは長くなる方向にずれるので、規制孔２４０ｄにより接続が規制されるハーネス３００ｄの接続の自由になる長さＤ２よりも容易に大きく設定することができ、これにより、ハーネス３００ｄは受側コネクタ３１１ｃには接続できなくなる。
【００７２】
一方、受側コネクタ３１１ｄがコネクタ３１１ｃの方向に距離Ｄ０だけずれてくるので、規制孔２４０ｃにより接続が規制されるハーネス３００ｃの接続の自由になる長さＤ２よりも、規制孔２４０ｃからコネクタ３１１ｄまでの距離Ｌｃｄは短くなってくる。すると、ハーネス３００ｃはコネクタ３１１ｄに誤って接続し得ることになる。
【００７３】
ところが、規制孔２４０ｄからコネクタ３１１ｃまでの距離Ｌｄｃは上述したようにＤ２よりも充分に長くなっているためハーネス３００ｄはコネクタ３１１ｃには接続できないから、ハーネス３００ｄは接続されないまま後に残ることとなる。ここに至って、誤接続があることに容易に気づくことができるので、改めてハーネス３００ｃをコネクタ３１１ｃに、ハーネス３０１ｄをコネクタ３１１ｄに正しく接続し直せばよい。
【００７４】
今、４束のハーネス３００ａ〜３００ｄの中から２束のハーネス３００ｃ，３００ｄを見たときに、この２つだけでも本発明が成立する構成になっているが、４束は共通の品を使っているので、同様の作用効果を得ることができる。
【００７５】
また、ハーネス３００ａが誤って受側コネクタ３１１ｂに接続された場合、本来受側コネクタ３１１ｂに接続されるべきハーネス３００ｂをどこかに接続しようとすると、受側コネクタ３１１ａには接続できないので受側コネクタ３１１ｃに誤接続する可能性が高くなる。
【００７６】
すると、本来受側コネクタ３１１ｃに接続されるべきハーネス３００ｃをどこかに接続しようとして受側コネクタ３１１ｄに誤接続する可能性が高い。しかし、本来受側コネクタ３１１ｄに接続されるべきハーネス３００ｄをどこかに接続しようとしても、どのコネクタにも接続することができない。
【００７７】
従って、ハーネス３００ａ〜３００ｄと受側コネクタ３１１ａ〜３１１ｄを誤接続した場合には、どの受側コネクタ３１１ａ〜３１１ｄにも接続されないハーネス３００ａ〜３００ｄが組立ての最後には残ることになり、これには容易に気づくことができるので、結果として誤接続を防止することができる。
【００７８】
なお、本発明は、画像形成装置を、図１の構成に限定するものではなく、少なくとも、上述のような電気配線構造を具備するものであれば、その構成や形式の如何を問わず、本発明を適用することができる。さらに、本発明の電気配線構造は、画像形成装置に限らず、例えば、ＡＶ機器や遊技機、その他の電装品等にも広く適用できるのは言うまでもない。
【００７９】
【発明の効果】
以上の説明から明らかなように、本発明は、以下の効果を奏する。
【００８０】
（１）電気配線部材の接続を規制する位置規制手段の配列と、電気回路基板上の受側コネクタの配列と、を電気配線部材の接続方向に直交する同一方向にシフトさせて配置するので、電気配線部材は、その移動方向と反対方向に隣接する受側コネクタには遠くなり接続できなくなるような配置設計が容易となる。
【００８１】
一方、シフトさせた方向と同方向の受側コネクタへは誤接続しやすくなるが、同じ方向（シフトさせた方向）でのみしか誤接続できないので（つまり、隣りあう電気配線部材を相互に誤接続することができないので）、誤接続をすると必ず接続されない電気配線部材と受側コネクタが後に残る。そのため、誤接続をしたことに容易に気づくので、誤接続を防止することができる。
【００８２】
（２）機能ユニットと配列ピッチと電気回路基板の受側コネクタの配列ピッチとをほぼ同一とすることにより、すべて同一の電気配線部材を共用することができるため、量産効果を損なうことなく、かつ、誤接続を容易に認識することができる。
【００８３】
また、機能ユニットが電気配線部材と接続される位置は機能ユニットの配列と一致するから、それと対応するように前記電気回路基板の受側コネクタが配置されることになるので、一見して、どの受側コネクタがどの機能ユニットに接続されるかを判別しやすくなる。
【００８４】
（３）画像形成装置に設けられている電気配線構造が、（１）または（２）に記載の効果を奏するので、電気配線部材を作業性よく接続することができ、かつ、電気配線部材の誤接続に起因するトラブルの発生を防ぐことができる。
【図面の簡単な説明】
【図１】本発明の実施の形態に係る画像形成装置の構成を示す断面図である。
【図２】同電気配線構造の斜視図である。
【図３】従来の電気配線構造の一例を示す斜視図である。
【符号の説明】
１−画像形成装置
２２７ａ〜２２７ｄ−機能ユニット
２３２−電気回路基板
２４０ａ〜２４０ｄ−位置規制手段
３００ａ〜３００ｄ−電気配線部材
３１１ａ，３１２ａ〜３１１ｄ，３１２ｄ−受側コネクタ
Ｄ１，Ｄ１′−距離
【図１】
2004236412.tif 000003
【図２】
2004236412.tif 000004
【図３】
2004236412.tif 000005